(57)【要約】      （修正有）【課題】ケーブルプラーを効果的に挟持する挟持装置を提供する。【解決手段】挟持装置１００は、相対する２個のペンチ体１０を備え、その片側にそれぞれペンチヘッド１、反対側にハンドル２を設けてそれらの間の枢設部３を介して回動可能としてペンチヘッド１による挟持操作を可能とする。各ペンチヘッド１の相対する片側に相互に対応するケーブルプラーの挟持部１１及び噛み合い部１２を設置し、該挟持部１１をハンドル２方向へ向けて外方に傾斜させる。【選択図】図１
0003221704.tif 000002
【実用新案登録請求の範囲】
【請求項１】
相対する２個のペンチ体の片側にそれぞれペンチヘッド、反対側にハンドルを設けてそれらの間に設けた枢設部を介して回動可能としてペンチヘッドによる挟持操作を可能とし、
各ペンチヘッドの相対する片側には、相互に対応する挟持部及び噛み合い部を設置し、各挟持部は、相対してケーブルプラーを挟持する凹弧面をそれぞれ備えると共に該挟持部は、ペンチヘッドからハンドル方向へ向けて５度〜１０度傾斜せしめ、
該噛み合い部には異なる間隔で配列する歯列を複数備えることを特徴とする挟持装置。
【請求項２】
前記各挟持部の凹弧面は半楕円状を呈し、かつ該凹弧面両端にはそれぞれ角を除去して丸くした逆円角を備えることにより、凹弧面でケーブルプラーを挟持する際のケーブルプラー外表面のプラスチックコーティングに対する損傷を回避するようにし、さらに各挟持部の凹弧面には、軸方向に延伸する複数のラチェットを設けてケーブルプラー表面に軸方向に設けられた複数の軸方向凸歯と堅固に噛み合うようにしたことを特徴とする請求項１に記載の挟持装置。
【請求項３】
前記各ペンチヘッドには、相互に対応して弧状孔を設置し、各弧状孔の相対する片側にブレード部を設置して電線の裁断、皮膜の剥離操作を可能としたことを特徴とする請求項１に記載の挟持装置。
【考案の詳細な説明】
【技術分野】
【０００１】
本考案は、挟持装置のクランプの関連領域に関し、特にケーブルプラー挟持に使用でき、クランプ本来の機能も保有する挟持装置に関する。
【背景技術】
【０００２】
一般の建築物内には、各種の電線パイプラインが敷設され、これには電源配線、電信配線、信号配線、インターネット配線等の各種線材を通して配置する。
しかし、建築物の屋内インテリアの設計はみな異なるため、それに応じて設置される屋内壁内の電線パイプライン位置も異なる。
そのため、ケーブルプラーを対応させて線材を案内して配線パイプライン中に通し、各種電線パイプラインの配置・接続を達成する必要がある。
【０００３】
しかし、電線工事のケーブル引き作業は通常、電線をケーブルプラー一端に通して結んで固定し、ケーブルプラーを伸ばすことで、ケーブル引き作業を行う。
従来のケーブル引き作業の多くは、ペンチによって直接ケーブルプラーの一端を挟持し、電線を引き伸ばすケーブル引き作業を行う。
ペンチの挟持部位はすべてノコギリ歯状の歯列を備えるため、操作者がケーブル引き作業を行う時、ペンチの歯列は、ケーブルプラーのスチールケーブル或いは保護カバーと摩擦し、ケーブルプラーのスチールケーブル或いは保護カバーが過度の摩擦により損傷し、損壊する恐れがあり、コストにおける浪費を招いている。
そのため、関連業界では、ケーブルプラーの挟持専用のワイヤークランプが開発された。
これにより、使用に際してはケーブルプラーのスチールケーブル或いは保護カバーの過度の摩擦による損壊を回避することはできるが、ケーブル引き作業の単一機能しか備えないため、使用者が他の作業を行おうとする時には、多種の異なる機能の工具を携行しなければならない。
こうして、携行品の重量が増大してしまう。
そのため、関連業界では、多機能のペンチを一つにまとめた多用途の機能を持つ工具の開発が急がれている。
【先行技術文献】
【特許文献】
【０００４】
【特許文献１】特開２００５−２６１５７３号公報
【特許文献２】実開平１−１３８６６７号公報
【考案の概要】
【考案が解決しようとする課題】
【０００５】
本考案の目的は、ケーブルプラー挟持に使用でき、クランプ本来の機能も保備える多種機能の挟持装置を提供することである。
【課題を解決するための手段】
【０００６】
本考案による挟持装置は、相互に枢設する２個のペンチ体を備え、
該２個のペンチ体のペンチヘッドとハンドルの間には、相互に枢設する枢接部を設置し、これにより該２個のペンチ体は相対して回動して挟持操作を行い、かつ該２個のペンチ体片側には、それぞれペンチヘッドを設置し、反対側には、ハンドルを設置し、各ペンチヘッドの相対する片側には、相互に対応する挟持部及び噛み合い部を設置し、各挟持部は、相対して挟み合わさる凹弧面をそれぞれ備えてケーブルプラーを挟持し、かつ該２個のペンチ体の挟持部は、ペンチヘッドからハンドル方向へと５度〜１０度傾斜し、該噛み合い部は間隔を開けて配列する数個の異なる歯列を備える。
【０００７】
本考案による挟持部の凹弧面は半楕円状を呈し、かつ凹弧面両端にはそれぞれして丸くした逆円角を備えることによりケーブルプラーを相対して挟持する時、ケーブルプラー外表面のプラスチックコーティングに対する損傷を回避でき、かつ各挟持部の凹弧面は、軸方向に延伸する複数のラチェットをさらに備え、ケーブルプラー表面に軸方向に設置する複数の軸方向凸歯と堅固に噛み合う。
【０００８】
本考案による各ペンチヘッドには、相互に対応して弧状孔をさらに設置し、かつ各弧状孔の相対する片側には、ブレード部を設置することにより、電線を裁断し、電線皮膜を剥離する。
【考案の効果】
【０００９】
本考案は実用性及び進歩性を備えた考案で、産業界への普及の価値があり、社会への貢献性が非常に高い。
【図面の簡単な説明】
【００１０】
【図１】本考案の立体組合せ模式図である。
【図２】本考案ペンチ体の断面模式図である。
【図３】本考案の使用状態模式図である。
【図４】本考案使用状態の断面模式図である。
【図５】図４のＶ−線でカットした断面模式図である。
【図６】本考案がさらに弧状段差、ラチェットを備える立体組合せ模式図である。
【図７】本考案がさらに弧状段差、ラチェットを備える断面模式図である。
【図８】本考案の弧状段差がネジの頭部を挟持する様子を示す断面模式図である。
【図９】本考案挟持部の凹弧面に軸方向に延伸する複数のラチェットをさらに設置する様子を示す断面模式図である。
【考案を実施するための形態】
【実施例】
【００１１】
図１〜図４に示すように、挟持装置１００は、相互に枢設する２個のペンチ体１０を備える。
【００１２】
該２個のペンチ体１０は上記枢設部を介して相対して回動して近づき、及び離れ、該２個のペンチ体１０片側には、それぞれペンチヘッド１を設置し、反対側には、ハンドル２を設置する。
【００１３】
各ペンチヘッド１の相対する片側には、相互に対応する挟持部１１及び噛み合い部１２を設置し、しかも、該２個のペンチ体１０の挟持部１１は、ペンチヘッド１からハンドル２方向へと傾斜し、各挟持部１１は、相対して挟み合わさる凹弧面１１１をそれぞれ備え、ケーブルプラー２００を挟持する。
【００１４】
前記は本考案の実施例の主要な技術的特徴で、それは本考案請求項１の内容と対応し、本考案の目的と実施形態を詳細に説明している。
他の従属請求項に記載する技術特徴は、請求項１の内容に対する詳述或いは付加技術特徴で、請求項１の請求範囲を制限するものではなく、本考案請求項１は、他の従属請求項に記載する技術特徴を必ず含まなければならないとは限らない。
【００１５】
以下に、本考案の各部材の特徴について詳述する。
図１〜図４に示すように、各ペンチヘッド１には、弧状孔１３をさらに設置する。各弧状孔１３は、相互に対応して設置し、かつ各弧状孔１３の相対する片側には、ブレード部１３１を設置して電線を裁断し、電線皮膜を剥離する。
【００１６】
該噛み合い部１２は間隔を開けて配列する数個の異なる歯列１２１を備え、さらに該２個のペンチ体１０のペンチヘッド１とハンドル２の間には、２個のペンチ体１０を相互に回動可能に枢設する枢接部３を設置し、これにより該２個のペンチ体１０は相対して回動して近づき、及び離れる。
【００１７】
図２に示すように、該挟持部１１の傾斜角度θは５度〜１０度で、これにより使用者は本考案の挟持装置を使用してケーブル引き作業を行う時、該２個のペンチ体１０挟持部１１の凹弧面１１１にケーブルプラー２００を通して挟み込み、各挟持部１１は、ペンチヘッド１がハンドル２方向へと傾斜して設置されるため、ケーブルプラー２００が挟持部１１の凹弧面１１１に挟持される時、傾斜状態を呈し、これにより使用者は操作の過程において、ケーブルプラー２００が手に近過ぎることにより、使用者の手の操作空間を妨害することはなく、しかも各挟持部１１の凹弧面１１１は半円弧状の設計を呈するため、使用者はケーブル引き作業を行う時、ケーブルプラー２００のスチールケーブル或いは保護カバーは、過度の摩擦を受けることはなく、こうしてケーブルプラー２００が損傷を受け、さらには損壊し、コスト上の浪費を引き起こす恐れはなくなる（図３及び図４参照）。
【００１８】
図１に示すように、該２個のペンチ体１０が相互に回動して相接する時、該２個のペンチ体１０の各挟持部１１と各噛み合い部１２は相対する側が相互に接触し、各挟持部１１の間には、挟持空間を形成し、各噛み合い部１２の間には、挟み付け構造を形成し、しかも各噛み合い部１２の相対側には、異なる間隙の数個のノコギリ歯状歯列１２１を選択的に設置し、これにより歯列１２１は物件を挟み付ける時、その噛み合い部１２と物件との間の摩擦力を拡大し、挟み付け操作の安定性を高めることができる。
【００１９】
この他、該２個のペンチ体１０の各ペンチヘッド１には、弧状孔１３をさらに設置し、各弧状孔１３は、相互に対応して設置し、しかも各弧状孔１３の相対する片側には、ブレード部１３１を設置することによって各ブレード部１３１の間に、裁断構造を形成する。
【００２０】
こうして、使用者は電線、鉄線或いはスチール線等の線状物件の裁断操作を行い（図示なし）、或いは各弧状孔１３の間に形成される楕円形開口に対応し、電線外部絶縁表皮のストリッピング操作を行う（図示なし）。
【００２１】
一部のケーブルプラー２００は、表面にさらにプラスチックコーティングされているため、挟持部１１で挟持する時の摩擦力が拡大する。
【００２２】
よって、図５に示すように、各挟持部１１の凹弧面１１１は半楕円状を呈し、各挟持部１１が歯列１２１に続く凹弧面１１１両端には、それぞれ角を取り去って丸く成型した逆円角１１２を備えることにより、凹弧面１１１で該ケーブルプラー２００を相対して挟持する時、ケーブルプラー２００外表面のプラスチックコーティング（図示なし）に対する損傷を回避できる。
【００２３】
しかも、図６〜８に示すように、該２個のペンチ体１０の挟持部１１は、噛み合い部１２、凹弧面１１１に隣接する２個の頭端面１１３を備え、該凹弧面１１１と２個の頭端面１１３の間に位置して２個の弧状段差１１４は、該２個のペンチ体１０が相対して可動して接近することによりネジ４の頭部４１を相対して挟持し、ネジ４の螺合、取り外し操作を行う。
【００２４】
また、図９に示すように、各挟持部１１の凹弧面１１１は、軸方向に延伸する複数のラチェット１１５をさらに備え、ケーブルプラー２００表面に軸方向に設置する複数の軸方向凸歯２０１と堅固に噛み合う。
【００２５】
上記を総合すると、本考案による挟持装置は実用性及びコストパフォーマンスにおいて、確実に産業上の発展の必要に完全に符合し、しかも開示する構造考案は全く新しい構造であるため、「新規性」を備えることは疑いもない。
また、本考案は従来の構造に比べ、効果の増進を備えるため、「進歩性」も備え、特許法の実用新案登録申請要件の規定に完全に符合している。
【産業上の利用可能性】
【００２６】
本考案は実用新案登録の要件である新規性を備え、従来の同類製品に比べ十分な進歩性を有し、実用性が高く、社会のニーズに合致しており、産業上の利用価値は非常に大きい。
【符号の説明】
【００２７】
１００  挟持装置
２００  ケーブルプラー
２０１  軸方向凸歯
１０  ペンチ体
１  ペンチヘッド
１１  挟持部
１１１  凹弧面
１１２     逆円角
１１３  頭端面
１１４  弧状段差
１１５  ラチェット
１２  噛み合い部
１２１  歯列
１３  弧状孔
１３１  ブレード部
２  ハンドル
３  枢接部
θ 挟持部傾斜角度
【図１】
0003221704.tif 000003
【図２】
0003221704.tif 000004
【図３】
0003221704.tif 000005
【図４】
0003221704.tif 000006
【図５】
0003221704.tif 000007
【図６】
0003221704.tif 000008
【図７】
0003221704.tif 000009
【図８】
0003221704.tif 000010
【図９】
0003221704.tif 000011